【事件の表示】
　特願２０１２−２７０２６４号「遊技機」拒絶査定不服審判事件〔平成２６年６月２６日出願公開、特開２０１４−１１３３５７号〕について、次のとおり審決する。
【結　論】
　本件審判の請求は、成り立たない。
【理　由】
第１　手続の経緯 
　本願は、平成２４年１２月１１日の出願であって、平成２８年８月２６日付けで拒絶理由通知がなされ、これに対し同年１０月２８日付けで手続補正がなされたが、平成２９年２月２３日付け（発送日：同年２月２８日）で拒絶査定がなされ、これに対して、平成２９年５月３０日付けで拒絶査定不服審判の請求がなされると同時に手続補正（以下、「本件補正」という。）がなされたものである。  
第２　本件補正についての補正却下の決定 
［補正却下の決定の結論］ 
　本件補正を却下する。 
［理由］ 
１．本件補正の概要 
　本件補正は特許請求の範囲の請求項１の記載の補正を含むものであり、平成２８年１０月２８日付けの手続補正の特許請求の範囲の請求項１の記載と本件補正の特許請求の範囲の請求項１の記載はそれぞれ、以下のとおりである（下線部は補正箇所を示す。また、Ａ〜Ｆ５については発明を分説するため当審で付与した。）。 
（平成２８年１０月２８日付けの手続補正） 
「【請求項１】 
　遊技の進行を管理する遊技制御手段と、
　遊技の進行に合わせて装飾態様を変化させることが可能であり、装飾態様を所定の異常報知態様に変化させることで遊技機における異常を報知可能な装飾装置と、
　前記装飾装置の装飾態様を制御し、前記装飾装置の装飾態様を所定の節電装飾態様とする節電状態を発生させることが可能な演出制御手段と、
　遊技者が操作可能な演出用操作手段と、を備え、
　前記遊技制御手段は、
　所定の節電開始条件が成立した場合に、前記節電状態を発生させる起因となる所定の制御指令信号を前記演出制御手段に送信し、
　前記演出制御手段は、
　前記制御指令信号を受信したことに対応して前記節電状態を発生させるための制御を開始し、
　前記節電状態を発生させるための制御の開始から所定期間経過した場合に、前記節電状態を発生させ、
　前記節電状態において前記演出用操作手段が操作されたことを検出した場合は、直ちに前記節電状態を解除可能であり、
　前記節電状態において当該遊技機に異常が発生したことを検出した場合は、該異常が解消されたことを検出するまでの間、前記装飾装置の装飾態様を前記節電装飾態様と異なる前記異常報知態様に変化させるようにしたことを特徴とする遊技機。」 
（本件補正）  
「【請求項１】 
Ａ　遊技の進行を管理する遊技制御手段と、
Ｂ　遊技の進行に合わせて装飾態様を変化させることが可能であり、装飾態様を所定の異常報知態様に変化させることで遊技機における異常を報知可能な装飾装置と、
Ｃ　前記装飾装置の装飾態様を制御し、前記装飾装置の装飾態様を所定の節電装飾態様とする節電状態を発生させることが可能な演出制御手段と、
Ｄ　遊技者が操作可能な演出用操作手段と、を備え、
Ｅ　前記遊技制御手段は、
Ｅ１　
所定の異常を検出可能に構成され、
Ｅ２　所定の節電開始条件が成立した場合に、前記節電状態を発生させる起因となる所定の制御指令信号を前記演出制御手段に送信し、
Ｆ　前記演出制御手段は、
Ｆ１　
前記遊技制御手段が検出する異常とは異なる異常を検出可能に構成され、
Ｆ２　前記制御指令信号を受信したことに対応して前記節電状態を発生させるための制御を開始し、
Ｆ３　前記節電状態を発生させるための制御の開始から所定期間経過した場合に、前記節電状態を発生させ、
Ｆ４　前記節電状態において前記演出用操作手段が操作されたことを検出した場合は、直ちに前記節電状態を解除可能であり、
Ｆ５　前記節電状態において当該遊技機に
前記遊技制御手段が検出する異常とは異なる
前記節電状態を一時的に解除するとともに、
２．補正の適否　　 
　本件補正によって、補正後の請求項１は、補正前の請求項１に記載された発明特定事項である「遊技制御手段」について、「所定の異常を検出可能に構成され」ていることを限定し、また、補正前の請求項１に記載された発明特定事項である「演出制御手段」について、「前記遊技制御手段が検出する異常とは異なる異常を検出可能に構成され」ていることを限定するとともに、節電状態において当該遊技機に「前記遊技制御手段が検出する異常とは異なる」異常が発生したことを検出した場合は「前記節電状態を一時的に解除する」という限定を付加したものである。
　さらに、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。 
　そして、本件補正は、明細書の段落【０１３２】、【０１５１】、【０１７４】及び【０１７５】等の記載に基づいており、新規事項を追加するものではない。 
３．独立特許要件 
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。 
（１）本件補正後の請求項１に係る発明 
　補正後の請求項１に係る発明（以下、「本願補正発明」という。）は、上記１．の本件補正の概要において示したとおりのものである。
（２）刊行物に記載された事項 
ア．原査定の拒絶の理由に引用された本願の出願前に頒布された刊行物である特開２０１２−２３５８７６号公報（以下、「刊行物１」という。）には、図面と共に次の事項が記載されている（下線は当審で付した。）。 
「【００１４】
　以下に、図面を参照して、本願に係る発明を実施するための最良の形態について説明する。図１は本発明の一実施形態である遊技機の概略正面図、図２はその遊技機の遊技盤の概略正面図、図３はその遊技機の概略制御ブロック図、図４はその遊技機における遊技状況表示部を説明するための図、図５はその遊技機の主制御基板、演出制御基板及び各演出手段の概略ブロック図、図６はその遊技機の演出ユニットに設けられた可動演出部の概略斜視図である。ここでは、遊技機が
パチンコ機
「【００２６】
　ところで、図１に示すように、受け皿ユニット２０の中央部であって上皿２１の手前位置には、演出内容の切り替えを指示するための演出切替ボタン２６が設けられている。この
演出切替ボタン２６
遊技者
押圧操作及び回転操作により所定の指示を入力することができる
演出切替ボタン操作検出センサ
４５１
演出切替ボタン２６の操作内容を検出する
「【００５０】
　この角部電飾表示部９０は、一対の３連ＬＥＤ９１ａ，９１ｂを点灯表示することにより、パチンコ機に異常状態が発生していることを報知する演出を行う。
パチンコ機に
ガラス枠ユニット１０が開放している状態、賞球の払出しが正常に行われない状態
異常状態を
検出
【００５１】
　また、角部電飾表示部９０は、
発生した異常状態の内容をＬＥＤの点灯色によって報知する
不正行為が行われた状態が発生したときには、角部電飾表示部９０は赤色で点灯し、ガラス枠ユニット１０が開放している状態が発生したときには、角部電飾表示部９０は白色で点灯し、そして、賞球の払出しが正常に行われない状態が発生したときには、角部電飾表示部９０は紫色で点灯する
角部電飾表示部９０
異常状態が発生した場合にその異常状態の内容を報知する演出を行うが、異常状態が発生していない場合には
遊技に関わる通常の演出を行う
【００５２】
　尚、
液晶表示装置１１０、可動演出部１２０、盤面電飾表示部１３０、枠電飾表示部７０、スピーカ部８０、角部電飾表示部９０
「【００６１】
　払出制御基板３２０は、主制御基板５００が行う制御を補助するためのものである。この
払出制御基板３２０
主制御基板５００とは異なる基板に形成されているが、機能上は主制御基板５００に属する基板であ
【００６２】
　
ＣＰＵ３２３
払出エラー監視処理、ガラス枠ユニット開放監視処理
を行う
【００６３】
　また、払出エラー監視処理は、賞球の払出しに関する払出エラーが発生したかどうかを監視する処理である。かかる払出エラーとしては、例えば、主制御基板５００からの賞球指示コマンドの内容に応じた所定数の賞球が払い出されていない賞球エラー、賞球路の所定位置において遊技球が存在しない球切れエラーがある。賞球エラーが発生したかどうかの監視は、賞球検出センサ４３１からの信号に基づいて行われる。賞球検出センサ４３１は、払出装置３１０により払い出された個々の賞球を検出するものである。この賞球検出センサ４３１からの検出信号は入力インターフェース３２４を介してＣＰＵ３２３に送られる。ＣＰＵ３２３は、賞球検出センサ４３１からの検出信号に基づいて、主制御基板５００からの賞球指示コマンドの内容に応じた所定数の賞球が払い出されたかどうかを監視し、払出装置３１０により当該所定数の賞球が払い出されなかったときに、賞球エラーが発生したと判断する。そして、その発生した払出エラーの内容をＲＡＭ３２２に記憶する。また、球切れエラーが発生したかどうかの監視は、球切れ検出センサ４３２からの信号に基づいて行われる。球切れ検出センサ４３２は、賞球路の所定位置に設けられ、当該位置に賞球がないことを検出するものである。この球切れ検出センサ４３２からの検出信号は入力インターフェース３２４を介してＣＰＵ３２３に送られる。ＣＰＵ３２３は、球切れ検出センサ４３２からの検出信号を受けると、球切れエラーが発生したと判断する。そして、その発生した払出エラーの内容をＲＡＭ３２２に記憶する。
【００６４】
　ガラス枠ユニット開放監視処理は、ガラス枠ユニット１０が開放状態にあるかどうかを監視する処理である。ガラス枠ユニット１０が開放状態にあるかどうかの監視は、ガラス枠ユニット開放検出センサ（開放検出手段）４２１からの信号に基づいて行われる。ガラス枠ユニット開放検出センサ４２１は、ガラス枠ユニット１０が開放状態であることを検出するものである。ガラス枠ユニット１０が無断で開けられたときには、不正行為が行われている可能性がある。このガラス枠ユニット開放検出センサ４２１からの検出信号は、入力インターフェース３２４を介してＣＰＵ３２３及び出力インターフェース３２５に送られる。ＣＰＵ３２３は、ガラス枠ユニット開放検出センサ４２１からの検出信号を受けると、ガラス枠ユニット１０が開放状態にあると判断し、その旨の情報をＲＡＭ３２２に記憶する。」
「【００６６】
　ここで、本実施形態では、
主制御基板５００のＣＰＵ５４０
「【００７１】
　次に、主制御基板５００について説明する。
主制御基板５００
グリップユニット４０の操作に基づいて行われる遊技の内容や、その遊技にて遊技球が入賞したときの賞球の払出しを制御したり、遊技の状況を管理したりする
「【００８２】
　更に、ＣＰＵ５４０は、図７に示すように、
電波検出センサ４１１からの検出信号を入力インターフェース５５０を介して受けたときに、高周波電波を使った不正行為が行われたと認識し、磁気検出センサ４１２からの検出信号を入力インターフェース５５０を介して受けたときに、磁石等を使った不正行為が行われたと認識し、そして、振動検出センサ４１３からの信号を入力インターフェース５５０を介して受けたときに、振動による不正行為が行われたと認識
して、ＣＰＵ５４０は、不正行為による異常状態の発生を認識する
「【００９９】
　また、ＣＰＵ５４０は、上述した異常状態コマンド、特別図柄抽選の結果を報知するための変動表示演出の制御に必要な情報に関するコマンド以外にも、非稼働状態発生コマンド、グリップユニット接触開始コマンドを演出制御基板６００に出力する。非稼働状態発生コマンドは、パチンコ機が、遊技が行われておらず遊技に関わる演出も実行されていない非稼働状態になったことを示すものである。ＣＰＵ５４０は、自らが管理する遊技の状況に基づいて、パチンコ機が非稼働状態になったかどうかを判断する。具体的には、
ＣＰＵ５４０は、普通図柄抽選の結果、特別図柄抽選の結果、変動パターン情報、変動時間に関する情報等、遊技及び遊技に関わる演出の制御に必要な情報がＲＡＭ５３０に
記憶されていないと判断すると、当該パチンコ機において遊技が行われておらず、遊技に関わる演出も実行されていないと認識し、その旨を示す非稼働状態発生コマンドを作成して演出制御基板６００に出力する
「【０１０６】
　演出制御基板６００は、主に遊技の進行に伴う演出の制御を行う。この
演出制御基板６００
ＣＰＵ６３０
「【０１１１】
　ＣＰＵ６３０は、各演出手段１１０，１２０，１３０，７０，８０，９０に実行させる演出の内容を決定し、その決定した内容にしたがって各演出手段１１０，１２０，１３０，７０，８０，９０を制御するものである。各演出手段１１０，１２０，１３０，７０，８０，９０に実行させる演出の種類としては、大きく分けて、遊技に関わる演出（変動表示演出及び停止表示演出）、客待ち演出、節電演出がある。ここで、遊技に関わる演出は遊技中に実行され、
客待ち演出又は節電演出
非稼働状態にある間に実行される
「【０１１３】
　また、
ＣＰＵ６３０は
非稼働状態発生コマンドを受信したときに、各演出手段１１０，１２０，１３０，７０，８０，９０に実行させる客待ち演出についての内容を決定し、その決定した内容の客待ち演出を行うように各演出手段１１０，１２０，１３０，７０，８０，９０を制御する
客待ち演出が実行されると
角部電飾表示部９０は
所定のパターンでの点灯表示を繰り返し行い
【０１１４】
　更に、
ＣＰＵ６３０は、客待ち演出の実行中に遊技者による操作が行われていない状況が予め定められた時間（例えば１分）以上継続したときに、各演出手段１１０，１２０，１３０，７０，８０，９０に実行させる演出を客待ち演出から節電演出に切り替えることを決定する
節電演出が実行されると、ＣＰＵ６３０は、液晶パネル１１１には当該節電演出の前に実行させていた客待ち演出の内容を継続して出力し続けるように制御するが、バックライト１１２を消灯するように制御する
また、節電演出の実行時には、枠電飾表示部７０における演出切替ボタン用ランプユニット７５、左上皿用ランプユニット７６及び右上皿用ランプユニット７７は、所定の態様で点灯表示し、枠電飾表示部７０の他のランプユニット、盤面電飾表示部１３０及び角部電飾表示部９０はすべて消灯する。そして、可動演出部１２０及びスピーカ部８０は演出を行わない
【０１１５】
　また、
ＣＰＵ６３０は、節電演出の実行中に、演出切替ボタン操作検出センサ４５１からの信号
を受けたときに、各演出手段に実行させる演出を節電演出から客待ち演出に切り替えることを決定する
当該客待ち演出の内容にしたがった内容の演出を行わせるように制御する
「【０１２７】
　尚、ＣＰＵ６３０は、
パチンコ機が非稼働状態にある場合
パチンコ機に
異常状態が発生していると判断すると、ＣＰＵ６３０は、角部電飾表示部９０については、現在発生している異常状態のうち最も高い優先度が付与された異常状態の発生を報知する
客待ち演出又は節電演出と、異常状態の発生についての報知演出とは独立して実行される
　上記記載事項を総合すれば、刊行物１には以下の発明（以下、「引用発明」という。）が記載されている（ａ〜ｆ５については本願補正発明のＡ〜Ｆ５に対応させて付与した。）。
 
「ａ　グリップユニット４０の操作に基づいて行われる遊技の内容や、その遊技にて遊技球が入賞したときの賞球の払出しを制御したり、遊技の状況を管理したりする主制御基板５００（【００７１】）と、
ｂ　不正行為が行われた状態が発生したときには赤色で点灯し、ガラス枠ユニット１０が開放している状態が発生したときには白色で点灯し、そして、賞球の払出しが正常に行われない状態が発生したときには紫色で点灯して発生した異常状態の内容をＬＥＤの点灯色によって報知する演出を行うが、異常状態が発生していない場合には、遊技に関わる通常の演出を行う角部電飾表示部９０（【００５１】）と、
ｃ　節電演出が実行されると、液晶パネル１１１には当該節電演出の前に実行させていた客待ち演出の内容を継続して出力し続けるように制御するが、バックライト１１２を消灯するように制御し、また、節電演出の実行時には、枠電飾表示部７０における演出切替ボタン用ランプユニット７５、左上皿用ランプユニット７６及び右上皿用ランプユニット７７は、所定の態様で点灯表示し、枠電飾表示部７０の他のランプユニット、盤面電飾表示部１３０及び角部電飾表示部９０はすべて消灯し、可動演出部１２０及びスピーカ部８０は演出を行わない節電演出を実行する演出制御基板６００のＣＰＵ６３０（【０１０６】、【０１１４】）と、
ｄ　遊技者が押圧操作及び回転操作により所定の指示を入力することができる演出切替ボタン２６（【００２６】）と、
ｅ　主制御基板５００のＣＰＵ５４０（【００６６】、【００８２】、【００９９）】は、
ｅ１　電波検出センサ４１１からの検出信号を入力インターフェース５５０を介して受けたときに、高周波電波を使った不正行為が行われたと認識し、磁気検出センサ４１２からの検出信号を入力インターフェース５５０を介して受けたときに、磁石等を使った不正行為が行われたと認識し、そして、振動検出センサ４１３からの信号を入力インターフェース５５０を介して受けたときに、振動による不正行為が行われたと認識して、不正行為による異常状態の発生を認識する（【００８２】）ものであり、
ｅ２　普通図柄抽選の結果、特別図柄抽選の結果、変動パターン情報、変動時間に関する情報等、遊技及び遊技に関わる演出の制御に必要な情報がＲＡＭ５３０に記憶されていないと判断すると、当該パチンコ機において遊技が行われておらず、遊技に関わる演出も実行されていないと認識し、その旨を示す非稼働状態発生コマンドを作成して演出制御基板６００に出力する（【００９９】）ものであり、
ｆ　演出制御基板６００のＣＰＵ６３０（【０１０６】、【０１１３】、【０１１４】、【０１１５】）は、
ｆ２　非稼働状態発生コマンドを受信したときに、各演出手段１１０（液晶表示装置），１２０（可動演出部），１３０（盤面電飾表示部），７０（枠電飾表示部），８０（スピーカ部），９０（角部電飾表示部）に実行させる客待ち演出についての内容を決定し、その決定した内容の客待ち演出を行うように各演出手段１１０，１２０，１３０，７０，８０，９０を制御し（【００５２】、【０１１３】）、
ｆ３　客待ち演出の実行中に遊技者による操作が行われていない状況が予め定められた時間（例えば１分）以上継続したときに、各演出手段１１０，１２０，１３０，７０，８０，９０に実行させる演出を客待ち演出から節電演出に切り替えることを決定し、節電演出を実行する（【０１１４】）ものであり、
ｆ４　節電演出の実行中に、演出切替ボタン２６の操作内容を検出する演出切替ボタン操作検出センサ４５１からの信号を受けたときに、各演出手段に実行させる演出を節電演出から客待ち演出に切り替えることを決定し、当該客待ち演出の内容にしたがった内容の演出を行わせるように制御する（【００２６】、【０１１５】）ものであり、
ｆ５　角部電飾表示部９０については、客待ち演出が実行されると所定のパターンでの点灯表示を繰り返し行い（【０１１３】）、節電演出の実行時には消灯し（【０１１４】）、パチンコ機が非稼働状態にある場合にパチンコ機に異常状態が発生していると判断すると、現在発生している異常状態のうち最も高い優先度が付与された異常状態の発生を報知する報知演出を実行するものであり（【０１２７】）
ｇ　ガラス枠ユニット１０が開放している状態、賞球の払出しが正常に行われない状態の異常検出については、主制御基板５００とは異なる基板に形成されているが機能上は主制御基板５００に属する基板である払出制御基板３２０のＣＰＵ３２３で行われるものであり（【００５０】、【００６１】〜【００６２】）、
ｈ　非稼働状態にある間に実行される客待ち演出又は節電演出と、異常状態の発生についての報知演出とは独立して実行される（【０１１１】、【０１２７】）
　パチンコ機（【００１４】）。」 
イ．本願の出願前に頒布された刊行物である特開２００８−５４９１４号公報（以下、「刊行物２」という。）には、図面と共に次の事項が記載されている（下線は当審で付した。）。 
「【０００９】
　そこで、本発明は、
遊技制御を行う主制御部と、報知制御を行う副制御部とを別に備えた遊技機において、処理効率の観点から、遊技制御に必要なセンサと不正防止を目的としたセンサとを、適切に主制御部及び副制御部に接続したうえで、遊技者や係員にも分かりやすく異常を報知する遊技機を提供することを目的とする
「【０１０９】
　図８は、エラー一覧の説明図である。
【０１１０】
　本実施の形態のパチンコ機２では、１１種類のエラーが、種類別に区分されて定められている。
【０１１１】
　記号（エラーコード）
Ａ１〜Ａ４のエラー
大入賞口不正入賞、振動検知、磁気検知及び電波検知
【０１１２】
　エラーコード
Ｂ１〜Ｂ３のエラー
シュート球切れ、オーバフロー及び排出異常
【０１１３】
　エラーコード
Ｃ１〜Ｃ２のエラー
スイッチ異常及び大入賞口内残存球
【０１１４】
　エラーコード
Ｄ１〜Ｄ２のエラー
内枠開放及びガラス枠開放
【０１１５】
　なお、各エラーが発生する要因、エラーからの復帰方法、及び遊技制御装置からの通知の有無は、エラー一覧（図８）に示すとおりである。
【０１１６】
　図９は、演出制御メイン処理のフローチャートである。
【０１１７】
　パチンコ機２への電源が投入されると、
演出制御装置１１０
【０１１８】
　その後、
振動検出センサ８３、磁気検出センサ４６、及び電波検出センサ４７から出力される信号を検出して、振動、磁気又は電波を使用した不正な遊技が行われていないかを監視する
【０１１９】
　このとき、不正な遊技が行われていると判定されたならばステップＳ１０８へ分岐する（Ｓ１０３）。
【０１２０】
　不正な遊技が行われていないと判定されたならば、遊技制御装置１００からの信号（指令信号、通知）を受信する（Ｓ１０４）。そして、受信した遊技制御装置からの信号が、不正入賞通知か否かを判定する（Ｓ１０５）。その結果、不正入賞通知を受信すると、ステップＳ１０８に進み、時間限定異常報知の実行を開始する。不正入賞は、大入賞口が開放中ではないのにカウントセンサ５３又は流入監視センサ５５が遊技球を検出したことに起因するが、誤検出の場合もあるからである。
【０１２１】
　この時間限定異常報知実行開始処理は図１０を参照して後述する。そして、時間限定異常報知実行開始処理の実行後、ステップＳ１１０に進む。
【０１２２】
　一方、受信した信号が不正入賞通知でなければ、受信した信号が異常発生通知又は異常解除信号であるか否かを判定する（Ｓ１０６）。異常発生通知、異常解除信号は、
遊技制御装置１００がエラーＡ１、Ｂ１〜Ｂ３、Ｃ１〜Ｃ２、Ｄ１〜Ｄ２
を検出
「【０１３７】
　優先順位は、どの
エラー
報知
報知手段として画像表示装置３４、スピーカ２９、汎用報知ランプ４４が用いられる
（３）対比 
　本願補正発明と引用発明とを対比する。なお、見出し（ａ）〜（ｆ５）は、本願補正発明のＡ〜Ｆ５及び引用発明のａ〜ｆ５に対応させている。
 
（ａ）引用発明の「ａ　グリップユニット４０の操作に基づいて行われる遊技の内容や、その遊技にて遊技球が入賞したときの賞球の払出しを制御したり、遊技の状況を管理したりする主制御基板５００」は、本願補正発明の「Ａ　遊技の進行を管理する遊技制御手段」に相当する。
（ｂ）本願補正発明の「Ｂ　遊技の進行に合わせて装飾態様を変化させることが可能であり、装飾態様を所定の異常報知態様に変化させることで遊技機における異常を報知可能な装飾装置」は、本願明細書の段落【０１６３】の「装飾装置（枠装飾装置１８、上スピーカ１９ａ、下スピーカ１９ｂ、盤装飾装置４２、盤演出装置４４、枠演出装置４５）」及び段落【０１６７】の「装飾装置１８，１９ａ，１９ｂ，４１，４２，４４，４５の装飾態様を当該遊技機１０に異常が発生していることを報知する異常報知態様に変化させる」との記載を参酌すれば、枠装飾装置１８や盤装飾装置４２のようなランプ等による電飾表示を行うものも含まれるものと解される。
　したがって、引用発明の「ｂ　不正行為が行われた状態が発生したときには赤色で点灯し、ガラス枠ユニット１０が開放している状態が発生したときには白色で点灯し、そして、賞球の払出しが正常に行われない状態が発生したときには紫色で点灯して発生した異常状態の内容をＬＥＤの点灯色によって報知する演出を行うが、異常状態が発生していない場合には、遊技に関わる通常の演出を行う角部電飾表示部９０」は、本願補正発明の「Ｂ　遊技の進行に合わせて装飾態様を変化させることが可能であり、装飾態様を所定の異常報知態様に変化させることで遊技機における異常を報知可能な装飾装置」に相当する。
（ｃ）引用発明のｃの「節電演出の実行時には」「角部電飾表示部９０は」「消灯」する「節電演出を実行する演出制御基板６００のＣＰＵ６３０」は、本願補正発明の「Ｃ　前記装飾装置の装飾態様を制御し、前記装飾装置の装飾態様を所定の節電装飾態様とする節電状態を発生させることが可能な演出制御手段」に相当する。 
（ｄ）引用発明の「ｄ　遊技者が押圧操作及び回転操作により所定の指示を入力することができる演出切替ボタン２６」は、本願補正発明の「Ｄ　遊技者が操作可能な演出用操作手段」に相当する。
（ｅ、ｅ１）引用発明の「ｅ　主制御基板５００のＣＰＵ５４０」が「ｅ１　電波検出センサ４１１からの検出信号を入力インターフェース５５０を介して受けたときに、高周波電波を使った不正行為が行われたと認識し、磁気検出センサ４１２からの検出信号を入力インターフェース５５０を介して受けたときに、磁石等を使った不正行為が行われたと認識し、そして、振動検出センサ４１３からの信号を入力インターフェース５５０を介して受けたときに、振動による不正行為が行われたと認識して、不正行為による異常状態の発生を認識する」ことは、本願補正発明の「Ｅ　前記遊技制御手段」が「Ｅ１　所定の異常を検出可能に構成され」ることに相当する。
（ｅ、ｅ２）引用発明において「ｆ　演出制御基板６００のＣＰＵ６３０」が「ｆ２　非稼働状態発生コマンドを受信したときに、各演出手段１１０，１２０，１３０，７０，８０，９０に実行させる客待ち演出についての内容を決定し、その決定した内容の客待ち演出を行うように各演出手段１１０，１２０，１３０，７０，８０，９０を制御し、客待ち演出の実行中に遊技者による操作が行われていない状況が予め定められた時間（例えば１分）以上継続したときに、各演出手段１１０，１２０，１３０，７０，８０，９０に実行させる演出を客待ち演出から節電演出に切り替えることを決定し、節電演出を実行する」のであるから、引用発明の「非稼働状態発生コマンド」は、本願補正発明の「前記節電状態を発生させる起因となる所定の制御指令信号」に相当するといえ、また、引用発明の「ｅ２　普通図柄抽選の結果、特別図柄抽選の結果、変動パターン情報、変動時間に関する情報等、遊技及び遊技に関わる演出の制御に必要な情報がＲＡＭ５３０に記憶されていない」ことは、本願補正発明の「Ｅ２　所定の節電開始条件が成立した場合」に相当するといえる。
　したがって、引用発明の「ｅ　主制御基板５００のＣＰＵ５４０」が「ｅ２　普通図柄抽選の結果、特別図柄抽選の結果、変動パターン情報、変動時間に関する情報等、遊技及び遊技に関わる演出の制御に必要な情報がＲＡＭ５３０に記憶されていないと判断すると、当該パチンコ機において遊技が行われておらず、遊技に関わる演出も実行されていないと認識し、その旨を示す非稼働状態発生コマンドを作成して演出制御基板６００に出力する【００９９】」ことは、本願補正発明の「Ｅ　前記遊技制御手段」が「Ｅ２　所定の節電開始条件が成立した場合に、前記節電状態を発生させる起因となる所定の制御指令信号を前記演出制御手段に送信」することに相当する。
（ｆ、ｆ２、ｆ３）引用発明において「ｆ　演出制御基板６００のＣＰＵ６３０」が「ｆ２　非稼働状態発生コマンドを受信したときに、各演出手段１１０（液晶表示装置），１２０（可動演出部），１３０（盤面電飾表示部），７０（枠電飾表示部），８０（スピーカ部），９０（角部電飾表示部）に実行させる客待ち演出についての内容を決定し、その決定した内容の客待ち演出を行うように各演出手段１１０，１２０，１３０，７０，８０，９０を制御し、ｆ３　客待ち演出の実行中に遊技者による操作が行われていない状況が予め定められた時間（例えば１分）以上継続したときに、各演出手段１１０，１２０，１３０，７０，８０，９０に実行させる演出を客待ち演出から節電演出に切り替えることを決定し、節電演出を実行する」ことは、本願補正発明の「Ｆ　前記演出制御手段」が「Ｆ２　前記制御指令信号を受信したことに対応して前記節電状態を発生させるための制御を開始し、Ｆ３　前記節電状態を発生させるための制御の開始から所定期間経過した場合に、前記節電状態を発生させ」ることに相当する。
（ｆ、ｆ４）引用発明において「ｆ　演出制御基板６００のＣＰＵ６３０」が「ｆ４　節電演出の実行中に、演出切替ボタン操作検出センサ４５１からの信号を受けたときに、各演出手段に実行させる演出を節電演出から客待ち演出に切り替えることを決定し、当該客待ち演出の内容にしたがった内容の演出を行わせるように制御する」ことは、本願補正発明の「Ｆ　前記演出制御手段」が「Ｆ４　前記節電状態において前記演出用操作手段が操作されたことを検出した場合は、直ちに前記節電状態を解除可能であ」ることに相当する。
（ｆ、ｆ５）引用発明において「ｆ　演出制御基板６００のＣＰＵ６３０」が「ｆ５　角部電飾表示部９０については、客待ち演出が実行されると所定のパターンでの点灯表示を繰り返し行い、節電演出の実行時には消灯し、パチンコ機が非稼働状態にある場合にパチンコ機に異常状態が発生していると判断すると、現在発生している異常状態のうち最も高い優先度が付与された異常状態の発生を報知する報知演出を実行する」「パチンコ機」と、本願補正発明の「Ｆ　前記演出制御手段」が「Ｆ５　前記節電状態において当該遊技機に前記遊技制御手段が検出する異常とは異なる異常が発生したことを検出した場合は、前記節電状態を一時的に解除するとともに、該異常が解消されたことを検出するまでの間、前記装飾装置の装飾態様を前記節電装飾態様と異なる前記異常報知態様に変化させるようにした」「遊技機」とは、「Ｆ　前記演出制御手段」が「Ｆ５’前記節電状態において当該遊技機に異常が発生したことを検出した場合は、前記節電状態を解除するとともに、前記装飾装置の装飾態様を前記節電装飾態様と異なる前記異常報知態様に変化させるようにした遊技機」の点で共通する。
　そうすると、両者は、 
「Ａ　遊技の進行を管理する遊技制御手段と、
Ｂ　遊技の進行に合わせて装飾態様を変化させることが可能であり、装飾態様を所定の異常報知態様に変化させることで遊技機における異常を報知可能な装飾装置と、
Ｃ　前記装飾装置の装飾態様を制御し、前記装飾装置の装飾態様を所定の節電装飾態様とする節電状態を発生させることが可能な演出制御手段と、
Ｄ　遊技者が操作可能な演出用操作手段と、を備え、
Ｅ　前記遊技制御手段は、
Ｅ１　所定の異常を検出可能に構成され、
Ｅ２　所定の節電開始条件が成立した場合に、前記節電状態を発生させる起因となる所定の制御指令信号を前記演出制御手段に送信し、
Ｆ　前記演出制御手段は、
Ｆ２　前記制御指令信号を受信したことに対応して前記節電状態を発生させるための制御を開始し、
Ｆ３　前記節電状態を発生させるための制御の開始から所定期間経過した場合に、前記節電状態を発生させ、
Ｆ４　前記節電状態において前記演出用操作手段が操作されたことを検出した場合は、直ちに前記節電状態を解除可能であり、
Ｆ５’前記節電状態において当該遊技機に異常が発生したことを検出した場合は、前記節電状態を解除するとともに、前記装飾装置の装飾態様を前記節電装飾態様と異なる前記異常報知態様に変化させるようにした遊技機。」 
である点で一致し、次の点で相違する。
（相違点１）
「Ｆ　前記演出制御手段」について、本願補正発明は「Ｆ１　前記遊技制御手段が検出する異常とは異なる異常を検出可能に構成され」ているのに対し、引用発明はそのようなものではない点。
（相違点２）
「Ｆ　前記演出制御手段」が「Ｆ５’前記節電状態において当該遊技機に前記遊技制御手段が検出する異常とは異なる異常が発生したことを検出した場合は、前記装飾装置の装飾態様を前記節電装飾態様と異なる前記異常報知態様に変化させる」点について、本願補正発明は「当該遊技機に前記遊技制御手段が検出する異常とは異なる異常が発生したことを検出した場合」に変化させるのに対し、引用発明ではそのようなものではない点。
(相違点３）
「Ｆ　前記演出制御手段」が「Ｆ５’前記節電状態において当該遊技機に異常が発生したことを検出した場合は、前記節電状態を解除するとともに、前記装飾装置の装飾態様を前記節電装飾態様と異なる前記異常報知態様に変化させる」期間について、本願補正発明は「一時的」で「該異常が解消されたことを検出するまでの間」であるのに対し、引用発明はそのように特定されていない点。
（４）判断
　上記相違点について検討する。
（相違点１及び２について）
　刊行物２には、「遊技制御を行う主制御部と、報知制御を行う副制御部とを別に備えた遊技機において、処理効率の観点から、遊技制御に必要なセンサと不正防止を目的としたセンサとを、適切に主制御部及び副制御部に接続したうえで、遊技者や係員にも分かりやすく異常を報知する遊技機を提供することを目的として（【０００９】）、
　遊技制御装置１００が検出するエラーＡ１（大入賞口不正入賞）、Ｂ１〜Ｂ３（シュート球切れ、オーバフロー及び排出異常）、Ｃ１〜Ｃ２（スイッチ異常及び大入賞口内残存球）、Ｄ１〜Ｄ２（内枠開放及びガラス枠開放）とは異なるエラーＡ２〜Ａ４（振動検知、磁気検知及び電波検知）を演出制御装置１１０が検出して（【０１１１】〜【０１１４】、【０１１７】〜【０１１８】、【０１２２】）、
　エラーの報知手段として画像表示装置３４、スピーカ２９、汎用報知ランプ４４が用いられる（【０１３７】）」点（以下、「刊行物２記載事項」という。）が記載されており、演出制御装置が、遊技制御装置が検出する異常とは異なる異常を検出することが開示されているといえ、これは、上記相違点１及び２に係る本願補正発明の構成に相当するといえる。
　そして、引用発明は「ｅ　主制御基板５００のＣＰＵ５４０」が「ｅ１　…不正行為による異常状態の発生を認識」し、「ｇ　ガラス枠ユニット１０が開放している状態、賞球の払出しが正常に行われない状態の異常検出については、主制御基板５００とは異なる基板に形成されているが機能上は主制御基板５００に属する基板である払出制御基板３２０のＣＰＵ３２３で行われる」ものであるが、異常状態の検出処理を主制御基板、払出制御基板及び演出制御基板等の制御基板のいずれに振り分けるかは、制御基板の負荷や処理効率等の観点から当業者が適宜選択し得るものであるから、その振り分けの具体化手段として、刊行物２記載事項を適用して、引用発明の演出制御基板６００のＣＰＵ６３０において不正行為による異常の発生を認識し、ガラス枠ユニット１０が開放している状態、賞球の払出しが正常に行われない状態の異常検出を主制御基板５００で認識するようにして、相違点１及び２に係る本願発明の構成に想到することは当業者が容易になし得るものである。
（相違点３について）
　引用発明は「ｃ　節電演出が実行されると、液晶パネル１１１には当該節電演出の前に実行させていた客待ち演出の内容を継続して出力し続けるように制御するが、バックライト１１２を消灯するように制御し、また、節電演出の実行時には、枠電飾表示部７０における演出切替ボタン用ランプユニット７５、左上皿用ランプユニット７６及び右上皿用ランプユニット７７は、所定の態様で点灯表示し、枠電飾表示部７０の他のランプユニット、盤面電飾表示部１３０及び角部電飾表示部９０はすべて消灯し、可動演出部１２０及びスピーカ部８０は演出を行わない節電演出を実行する」のであって、「ｆ５　角部電飾表示部９０については」「節電演出の実行時には消灯し、パチンコ機が非稼働状態にある場合にパチンコ機に異常状態が発生していると判断すると、現在発生している異常状態のうち最も高い優先度が付与された異常状態の発生を報知する報知演出を実行するものであり」、「ｈ　非稼働状態にある間に実行される」「節電演出と、異常状態の発生についての報知演出とは独立して実行される」のであるから、したがって、節電演出中に異常状態が発生した場合には、角部電飾表示部９０は異常状態の発生を報知する報知演出を実行するが、その他の節電演出（バックライト１１２の消灯、枠電飾表示部７０における演出切替ボタン用ランプユニット７５、左上皿用ランプユニット７６及び右上皿用ランプユニット７７の所定の態様で点灯表示、枠電飾表示部７０の他のランプユニット、盤面電飾表示部１３０の消灯、可動演出部１２０及びスピーカ部８０の演出の非実行）は継続していると理解でき、異常が解消した後に角部電飾表示部９０を他の演出装置の節電演出と整合させるために、異常状態が解消したことを検出して角部電飾表示部９０を節電演出に戻すようにして、相違点３に係る本願補正発明の構成に想到することは当業者が容易になし得るものである。
　また、本願補正発明の奏する効果は、引用発明及び刊行物２に記載された技術事項から当業者が予測できる範囲のものであり、格別顕著なものではない。
　したがって、本願補正発明は、引用発明及び刊行物２に記載された技術事項から当業者が容易に発明をすることができたものである。
（５）請求人の主張について
　請求人は、審判請求書の第３〜５頁において次のような主張をしている。
「補正後の本願請求項１に係る発明（以下、本願発明と称する）は、前記節電状態において当該遊技機に前記遊技制御手段が検出する異常とは異なる異常が発生したことを検出した場合は、前記節電状態を一時的に解除するとともに、該異常が解消されたことを検出するまでの間、前記装飾装置の装飾態様を前記節電装飾態様と異なる前記異常報知態様に変化させるようにしたことを主な特徴とするものです。 
　係る特徴により、本願発明は、演出制御手段において、遊技制御手段が検出する異常とは異なる異常を検出した場合であっても、節電状態を一時的に解除するとともに、異常を報知するので、遊技制御手段だけで異常の監視を行う遊技機に比べ、より確実に異常の発生を報知することができます。 
　また、演出制御手段が、異常発生の検出や節電状態の解除等の制御を遊技制御手段から独立して実行するので、これらの動作を演出制御手段に実行させるための処理を遊技制御手段で実行する必要がなくなり、遊技制御手段に過度の負担がかかってしまうのを防ぐことができます。 
　・・・引用文献１には、演出制御基板（主制御基板と異なる基板）が、主制御基板が検出する異常とは異なる異常を検出することや、演出制御基板が自ら行った異常検出に基づいて節電状態を解除したり装飾装置を異常報知態様に変化させたりすることについての記載はありません。また、引用文献１には、そのようにすることの示唆も見当たりません。 
　・・・
　また、引用文献１に記載の発明は、上述しましたように、払出制御基板が実質的に主制御基板の一部となっています。このため、引用文献１に記載の発明に、引用文献３に記載された内容を組み合わせたとしても、本願発明の、遊技の進行を制御する手段と、演出を制御する手段とで、それぞれ分担して異なる異常を監視するという思想には至りません。 
 　よって、引用文献１〜３に基づいて補正後の本願請求項１に係る発明に想到することは、当業者であっても容易ではないと考えます。」
　しかしながら、上記（４）の（相違点１及び２について）で検討したように、刊行物２には、演出制御装置が、遊技制御装置が検出する異常とは異なる異常を検出することが開示されているのであり、この刊行物２記載事項を引用発明に適用して、引用発明の演出制御基板６００のＣＰＵ６３０において不正行為による異常の発生を認識し、ガラス枠ユニット１０が開放している状態、賞球の払出しが正常に行われない状態の異常検出を主制御基板５００で認識するように構成することは当業者が容易になし得るものであり、また、上記（４）の（相違点３について）で検討したように、節電状態で発生した異常が解消したことを検出した後に節電演出に戻ることも当業者が容易になし得るものであるから、請求人の主張は採用できない。
（６）小括 
　したがって、本願補正発明は、引用発明及び刊行物２に記載された技術事項に基づいて、当業者が容易に発明をすることができたものであるから、特許法第２９条第２項の規定に基づいて特許出願の際独立して特許を受けることができない。 
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明 
　本件補正は、上記のとおり却下されたので、本願の請求項１及び２に係る発明は、平成２８年１０月２８日付けの手続補正書により補正された特許請求の範囲の請求項１及び２に記載された事項により特定されるものであるところ、その請求項１に係る発明（以下、「本願発明」という。）は、上記第２の１．で示した特許請求の範囲の請求項１に記載されたとおりのものである。
１．刊行物 
　原査定の拒絶の理由に引用された刊行物１の記載事項は、上記第２の３．（２）に記載したとおりである。
２．対比・判断 
　本願発明は、本願補正発明の発明特定事項から、「遊技制御手段」について、「所定の異常を検出可能に構成され」ているとの限定を省き、「演出制御手段」について、「前記遊技制御手段が検出する異常とは異なる異常を検出可能に構成され」ているとの限定を省き、節電状態において当該遊技機に「前記遊技制御手段が検出する異常とは異なる」異常が発生したことを検出した場合は「前記節電状態を一時的に解除する」との限定を省いたものである。
　そして、本願発明と引用発明とを対比すると、本願発明は、上記第２の３．（３）で検討した相違点１及び２に係る構成を有さないから、本願発明と引用発明とは以下の点においてのみ相違する。
（相違点３’）
「Ｆ　前記演出制御手段」が「Ｆ５’前記節電状態において当該遊技機に異常状態が発生したことを検出した場合は、前記装飾装置の装飾態様を前記節電装飾態様と異なる前記異常報知態様に変化させる」点について、本願発明は「該異常が解消されたことを検出するまでの間」変化させるのに対し、引用発明はそのように特定されていない点。
（相違点３’について）
　引用発明は「ｃ　節電演出が実行されると、液晶パネル１１１には当該節電演出の前に実行させていた客待ち演出の内容を継続して出力し続けるように制御するが、バックライト１１２を消灯するように制御し、また、節電演出の実行時には、枠電飾表示部７０における演出切替ボタン用ランプユニット７５、左上皿用ランプユニット７６及び右上皿用ランプユニット７７は、所定の態様で点灯表示し、枠電飾表示部７０の他のランプユニット、盤面電飾表示部１３０及び角部電飾表示部９０はすべて消灯し、可動演出部１２０及びスピーカ部８０は演出を行わない節電演出を実行する」のであって、「ｆ５　角部電飾表示部９０については」「節電演出の実行時には消灯し、パチンコ機が非稼働状態にある場合にパチンコ機に異常状態が発生していると判断すると、現在発生している異常状態のうち最も高い優先度が付与された異常状態の発生を報知する報知演出を実行するものであり」、「ｈ　非稼働状態にある間に実行される」「節電演出と、異常状態の発生についての報知演出とは独立して実行される」のであるから、したがって、節電演出中に異常状態が発生した場合には、角部電飾表示部９０は異常状態の発生を報知する報知演出を実行するが、その他の節電演出（バックライト１１２の消灯、枠電飾表示部７０における演出切替ボタン用ランプユニット７５、左上皿用ランプユニット７６及び右上皿用ランプユニット７７の所定の態様で点灯表示、枠電飾表示部７０の他のランプユニット、盤面電飾表示部１３０の消灯、可動演出部１２０及びスピーカ部８０の演出の非実行）は継続していると理解でき、異常が解消した後に角部電飾表示部９０を他の演出装置の節電演出と整合させるために、異常状態が解消したことを検出して角部電飾表示部９０を節電演出に戻すようにして、相違点３’に係る本願発明の構成に想到することは当業者が容易になし得るものである。
　また、本願発明の奏する効果は、引用発明に記載された技術事項から当業者が予測できる範囲のものであり、格別顕著なものではない。
　したがって、本願発明は、引用発明から当業者が容易に発明をすることができたものである。
３．むすび
　以上のとおり、本願発明は、引用発明に基づいて当業者が容易に発明をすることができたものであるから、特許法第２９条第２項の規定により特許を受けることができないから、他の請求項に係る発明について検討するまでもなく、本願は拒絶されるべきものである。
　よって、結論のとおり審決する。